(57)【要約】【課題】回転多面鏡と光学部品とを仕切らなくとも、光学部品側の回転多面鏡からの熱の影響を小さくする。【解決手段】回転して光ビームを偏向走査する回転多面鏡と、偏向走査された光ビームを像担持体上に結像するための光学部品と、光学装置の外部に露出している露出部を有し、光学装置の内部からこの露出部に熱を伝導して露出部から放熱する放熱部材と、を有する光学装置において、回転多面鏡の回転により回転多面鏡から光学部品側に向かう空気流の熱を放熱するための放熱部材の少なくとも一部はこの空気流の上流側で回転多面鏡に沿って配置される。【選択図】図２
2006323065.tif 000002
【特許請求の範囲】
【請求項１】
回転して光ビームを偏向走査する回転多面鏡と、偏向走査された光ビームを像担持体上に結像するための光学部品と、光学装置の外部に露出している露出部を有し、光学装置の内部からこの露出部に熱を伝導して露出部から放熱する放熱部材と、を有する光学装置において、
回転多面鏡の回転により回転多面鏡から光学部品側に向かう空気流の熱を放熱するための放熱部材の少なくとも一部はこの空気流の上流側で回転多面鏡に沿って配置されることを特徴とする光学装置。
【請求項２】
前記放熱部材が、前記光学部品よりも前記回転多面鏡の近くに配置されていることを特徴とする請求項１に記載の光学装置。
【請求項３】
前記放熱部材が、前記回転多面鏡の形状に倣う弧形状を有することを特徴とする請求項１から２のいずれかに記載の光学装置。
【請求項４】
放熱部材は、回転多面鏡が光ビームを反射する反射部の近傍まで回転多面鏡の回転方向に延伸していることを特徴とする請求項１から３のいずれかに記載の光学装置。
【請求項５】
光学装置は筐体に蓋が取り付けられるユニットであり、蓋は放熱部材の一部であることを特徴とする請求項１から４のいずれかに記載の光学装置。
【請求項６】
回転して第一光ビームと第二光ビームを偏向走査する回転多面鏡と、偏向走査された第一光ビームを第一像担持体上に結像するための第一光学部品と、回転多面鏡に対して第一光学部品と反対側に配置され、偏向走査された第二光ビームを第二像担持体上に結像するための第二光学部品と、光学装置の内部から露出部に延伸しており、内部の熱がこの露出部に伝導して露出部から放熱する第一と第二の放熱部材と、を有する光学装置において、
回転多面鏡の回転により回転多面鏡から光学部品側に向かう空気の熱を放熱するための第一と第二の放熱部材の少なくとも一部は回転多面鏡に対してそれぞれのレーザの走査が開始する側に対応して回転多面鏡に沿って配置され、第一放熱部材と第二放熱部材による放熱具合が異なることを特徴とする光学装置。
【請求項７】
未定着像を形成する未定着像形成手段と、未定着像を記録材上に定着する定着手段と、を有する画像形成装置において、定着手段に近い光学部品の方に向かう空気の熱を放熱する放熱部材は他の放熱部材よりも放熱量が小さいことを特徴とする請求項６に記載の光学装置を有する画像形成装置。
【請求項８】
第一放熱部材と第二放熱部材とは表面積が異なることを特徴とする請求項６に記載の光学装置。
【請求項９】
第一放熱部材と回転多面鏡の間隔と第二放熱部材と回転多面鏡との間隔が異なることを特徴とする請求項６または８に記載の光学装置。
【請求項１０】
回転して光ビームを偏向走査する回転多面鏡と、偏向走査された光ビームを像担持体上に結像するための光学部品と、光学装置の外部に露出している露出部を有し、光学装置の内部からこの露出部に熱を伝導して露出部から放熱する放熱部材と、を有する光学装置において、
回転多面鏡の回転により回転多面鏡から光学部品側に向かう空気流の熱を放熱するための放熱部材の少なくとも一部は回転多面鏡に対してレーザの走査が開始する側に回転多面鏡に沿って配置されることを特徴とする光学装置。
【発明の詳細な説明】
【技術分野】
【０００１】
本発明は、電子写真方式の複写機、プリンタ、ファクシミリ等の画像形成装置で用いられる光学装置に関する。
【背景技術】
【０００２】
従来の技術を、図１０〜図１２を用いて説明する。図１０はカラー画像をプリントする画像形成装置（プリンタ）である。
【０００３】
画像形成装置は、イエロー、マゼンタ、シアン、ブラックの各色の画像を形成するための感光ドラム（像担持体）２０を備える。感光ドラム２０は導電体に感光層を塗布したものである。また、画像形成装置は、光学装置２１、現像器２２、中間転写ベルト２３、シート（記録材；転写材）を格納する給紙カセット２４、定着器２５、排紙トレー２６、帯電器２７を備える。
【０００４】
画像形成動作は、次のように行われる。まず、帯電器２７が感光ドラム２０の表面を一様に帯電する。不図示の画像読取装置もしくはパーソナルコンピュータ等から入力された画像情報に基づいて、光学装置２１がレーザ光を照射し、感光ドラム２０上に静電潜像を形成する。次に現像器２２が、摩擦帯電されたトナーを感光ドラム２０上の静電潜像に付与することで、トナー像を形成する。４つの感光ドラム２０でそれぞれ形成された各色のトナー像は、中間転写ベルト２３上に順次転写される。このように重ね合わされたトナー像（未定着像）は、給紙カセット２４から搬送されたシートに再転写され、定着器２５から熱と圧力を付与されることでシート上に定着される。画像形成後のシートは排紙トレー２６上に積載される。
【０００５】
図１１は図１０の画像形成部を示した図である。図１１の光学装置は、４つの感光ドラム（像担持体）を一括して露光する構成を有するものである。なお、この構成の他にも、１つの感光ドラムのみを露光する構成の光学装置や、２つの感光ドラムを露光する構成の光学装置等がある。
【０００６】
一般に、光学装置は、レーザ光（光ビーム）を偏向走査するポリゴンミラー（回転多面鏡）２９、レーザ光を等速走査および感光ドラム上でスポット結像させるｆθレンズ３０ａ，３０ｂ、レーザ光を所定の方向へ反射する反射ミラー３１を有する。画像情報に基づいて光源から出射された光ビームは、ポリゴンミラー２９、ｆθレンズ３０ａ，３０ｂ、反射ミラー３１を経て感光ドラム上に導かれる。ポリゴンミラー２９は、ポリゴンモータ（不図示）に固定されており、ポリゴンモータによって回転駆動される。これらの部品は光学箱３２内に収容されている。各部品はビスやバネで光学箱３２に取り付けられている。光学箱３２に上蓋３３を取り付けることで光学装置内部を密閉し、塵埃の侵入を防いでいる。
【０００７】
図１２は光学装置を図１１の矢印Ａ方向から見た図である。図１２では、反射ミラーおよび光学箱の図示が省略されている。画像形成時、ポリゴンミラー２９は図中矢印ａ方向に回転し、光源３４から出射された光ビームを偏向走査する。図１２の光学装置では、２つのｆθレンズ３０ａ，３０ｂが、ポリゴンミラーに対し対称配置されており、２つの光源３４から出射した光ビームはそれぞれポリゴンミラー２９によって偏向走査され、各光路専用のｆθレンズ３０ａ，３０ｂ及び反射ミラーを介して、感光ドラムへと導かれる。
【０００８】
ポリゴンミラーを有する光学装置では、ポリゴンモータの発熱による昇温が問題となる
。モータの熱が周囲に配置されたレンズ等の光学部品を熱膨張させ、スポット変動、倍率変化、照射位置変動等を招き、画像品質を低下させるからである。
【０００９】
この問題に対して従来は次のような手法が提案されている。特許文献１に記載されているようにポリゴンモータの基板裏面に取り付けた鋼板によって基板の熱を吸熱し、その鋼板の他端部から熱を機外に放出するものである。
【００１０】
このような構成であっても、ポリゴンモータ近傍では使用頻度によっては放熱する熱量よりも発熱する熱量が上回り、温度が上昇する。その結果、熱がポリゴンの回転に伴いレンズ等の光学部品に吹き付けられることになる。これにより、吹き付けられたレンズ等は熱膨張を生ずることになる。そのため、ポリゴンモータの使用頻度によらずポリゴンモータ近傍の熱の影響を小さくすることが好ましい。
【００１１】
それに対して、ポリゴンモータからの熱がレンズ等に吹き付けられないようにするため、特許文献２、特許文献３に記載されているようにポリゴンミラー部をレンズ等の光学部品から仕切り、仕切り部の内部でポリゴンミラー部の熱を外部に放熱する構成がある。
【特許文献１】特開平１１−２４２１７７号公報
【特許文献２】特開２０００−２８５４号公報
【特許文献３】特開平１０−１２３４４７号公報
【発明の開示】
【発明が解決しようとする課題】
【００１２】
しかし、ポリゴンミラー部をレンズ等の光学部品等から仕切る構成にすると、新たに仕切るための部品が必要となり、部品点数が増えると共に、光学装置が大型化する問題が発生する。そのため、回転多面鏡であるポリゴンミラーを回りの光学部品から仕切らなくても、光学部品に対するポリゴンモータから発生する熱の影響を小さくすることが好ましい。
【００１３】
そこで本発明の目的は、回転多面鏡と光学部品とを仕切らなくとも、光学部品側の回転多面鏡からの熱の影響を小さくすることである。
【課題を解決するための手段】
【００１４】
上記目的を達成するために本発明では、以下の構成を採用する。
【００１５】
本発明の第１態様は、回転して光ビームを偏向走査する回転多面鏡と、偏向走査された光ビームを像担持体上に結像するための光学部品と、光学装置の外部に露出している露出部を有し、光学装置の内部からこの露出部に熱を伝導して露出部から放熱する放熱部材と、を有する光学装置において、回転多面鏡の回転により回転多面鏡から光学部品側に向かう空気流の熱を放熱するための放熱部材の少なくとも一部はこの空気流の上流側で回転多面鏡に沿って配置されることを特徴とする光学装置である。
【００１６】
本発明の第２態様は、回転して第一光ビームと第二光ビームを偏向走査する回転多面鏡と、偏向走査された第一光ビームを第一像担持体上に結像するための第一光学部品と、回転多面鏡に対して第一光学部品と反対側に配置され、偏向走査された第二光ビームを第二像担持体上に結像するための第二光学部品と、光学装置の内部から露出部に延伸しており、内部の熱がこの露出部に伝導して露出部から放熱する第一と第二の放熱部材と、を有する光学装置において、回転多面鏡の回転により回転多面鏡から光学部品側に向かう空気の熱を放熱するための第一と第二の放熱部材の少なくとも一部は回転多面鏡に対してそれぞれのレーザの走査が開始する側に対応して回転多面鏡に沿って配置され、第一放熱部材と第二放熱部材による放熱具合が異なることを特徴とする光学装置である。
【００１７】
本発明の第３態様は、未定着像を形成する未定着像形成手段と、未定着像を記録材上に定着する定着手段と、を有する画像形成装置において、定着手段に近い光学部品の方に向かう空気の熱を放熱する放熱部材は他の放熱部材よりも放熱量が小さいことを特徴とする上記第２態様の光学装置を有する画像形成装置である。
【発明の効果】
【００１８】
本発明によれば、簡易な構成で、光学装置内部の熱の空気伝搬を抑制できるので、回転多面鏡と光学部品とを仕切らなくとも、光学部品側の回転多面鏡からの熱の影響を小さくすることができる。
【００１９】
また、複数の光学系を備えた光学装置において、簡易な構成で、環境温度の偏りに起因する光学系毎の昇温度合の偏りを緩和し、色ズレの発生を抑制することができる。
【発明を実施するための最良の形態】
【００２０】
以下に図面を参照して、この発明の好適な実施の形態を例示的に詳しく説明する。なお、以下に述べる光学装置は、電子写真方式の複写機、プリンタ、ファクシミリ等の画像形成装置に用いられる。画像形成装置の構成及び光学装置の全体構成については、図１０、図１１に示す構成の他、公知の構成を採用することができるので、ここでは説明を割愛する。
【００２１】
（第１実施形態）
図１は、本発明の第１実施形態に係る光学装置の要部を示す斜視図であり、図２は、ポリゴンミラー近傍の部品配置と風の流れを示す模式図であり、図３は、蓋及び冷却部材の構成を示す図である。
【００２２】
この光学装置（走査光学装置）は、光ビームを偏向走査するポリゴンミラー１（回転多面鏡）と、ポリゴンミラー１で偏向走査された光ビームを感光ドラム（像担持体）上に結像するためのレンズ２（光学部品）と、これらを格納する光学箱４（筐体）及び蓋５と、ポリゴンミラー１の回転によりレンズ２に吹き付けられる空気流を冷却する放熱部材である冷却部材３と、を備える。
【００２３】
この光学装置では、図２に示すように、ポリゴンミラー１が矢印ａ方向に回転し、レーザ光源から出射された光ビームＸをＹ１からＹ２の範囲に偏向走査する。以下、レンズ２よりもポリゴンミラー１の回転方向上流側の領域を「走査開始側領域」、レンズ２よりもポリゴンミラー１の回転方向下流側の領域を「走査終了側領域」とよぶ。
【００２４】
ポリゴンミラー１の回転時には、ポリゴンミラー１の周囲に空気流が発生する（図２の「風の流れ」参照）。ポリゴンモータの回転駆動により発生する熱は、この空気流によって光学装置内部に拡散される。ポリゴンミラー１とレンズ２の間には仕切りが設けられていないため、ポリゴンミラー１の回転により温かい空気はレンズ２側にも流れ、その一部の空気はレンズ２に直接吹き付けられる。
【００２５】
ポリゴンモータ自体の昇温や、その周囲の部品を介する熱伝導については、例えば、ポリゴンモータの軸部にヒートシンク等を取り付けることで抑制可能である。しかしながら、軸部を冷却しても、ポリゴンモータのコイルや駆動ＩＣ等から発生した熱が上記空気流により空気伝搬する昇温要因を解決することができない。
【００２６】
そこで本実施形態では、このような熱の空気伝搬を抑制するために、走査開始側領域のポリゴンミラー１の近傍に、アルミ等の金属、また金属以外であっても熱伝導率の高い材
料で構成された冷却部材３を設けている。冷却部材３は、ポリゴンミラー１の近傍（つまり、ポリゴンミラー１の回転によりレンズ２に吹き付けられる空気流の中）に配置される冷却部と、光学箱４と蓋５からなる光学装置の外部に露出する露出部とを有する。露出部は光学装置内部よりも低温の空間に露出していることから、空気伝搬したポリゴンモータの熱（つまり、空気流の熱）が冷却部にて吸収され、露出部にて装置外に放熱される。冷却部材３の材質は熱伝導率が高いものであればよく、例えばアルミ板や鋼板といった単一材料でもよいし、ペルチェ素子のようなものであってもよい。
【００２７】
冷却部材３の配置について詳しく説明する。冷却部材３は、空気流による光学部品（レンズ２）への熱伝搬を抑制するものであるから、レンズ２に吹き付けられる空気流の中に設けられる。冷却部材３の一部（冷却部）はこの空気流の上流側でポリゴンミラー１に沿って配置される。具体的には、図２に示すように、ポリゴンミラー１及びポリゴンモータの側方、走査開始側領域に冷却部材３の冷却部が配置される。冷却部材３の冷却部は、ポリゴンミラー１が光ビームを反射する反射部の近傍までポリゴンミラー１の回転方向に延伸している。特に本実施形態では、ポリゴンミラー１の回転面内において、レンズ２の中心（光軸中心）とポリゴンミラー１の回転中心を結んだ線と、冷却部材３の中心とポリゴンミラー１の回転中心を結んだ線とが、略直交するような位置関係に、冷却部材３が配置されている。
【００２８】
冷却部材３はポリゴンミラー１による空気流を冷却するため、ポリゴンミラー１から離れるほど冷却効果が小さくなる。また、ポリゴンモータの熱による影響が最も大きいのがレンズ２である。よって、冷却部材３の冷却部は、レンズ２よりもポリゴンミラー１の近くに配置されていることが好ましい。具体的には、図４に示すように、ポリゴンミラー１の回転中心と冷却部材３の間の距離をｒ１、ポリゴンミラー１の回転中心とレンズ２の有効走査範囲（破線部分）の間の最大距離をｒ２としたとき、ｒ１＜ｒ２となるように冷却部材３が配置されているとよい。
【００２９】
このような配置によれば、レンズ２に向かう空気流がポリゴンミラー１と冷却部材３との間を流れることとなり、冷却部材３によって空気流の熱を効果的に吸収することができる。その結果、レンズ２の昇温を抑制できる。本実施形態では、冷却部がポリゴンミラー１の形状に倣う弧形状を有しているので、ポリゴンミラー周辺の熱を略均等に吸収でき、良好な冷却効果が得られる。なお、冷却部の形状は弧形状に限らず、平板状などでも構わない。
【００３０】
冷却部材３の表面積が大きいほど冷却効果は高くなる。したがって、表面積をアップさせるために、冷却部材によってポリゴンミラー１の周囲の大部分を覆う構成であってもいい（例えば、走査開始側だけでなく、背面側あるいは走査終了側まで冷却部材を設ける。）。ただし、そのときには、少なくとも冷却部材の一部分は走査開始領域側のポリゴンミラーの近傍に配置されている必要がある。また、図５に示すように冷却部材３を複数の板状体から構成したり、図６に示すように冷却部材３の冷却部に複数のリブ（フィン）７を設けたりすることも好ましい。なお、リブは、空気の流れに平行に設けるとよい。
【００３１】
冷却部材３は、光学装置の蓋５もしくは光学箱４に取り付けられる。図３は、一例として、光学装置を密閉するために光学箱４に取り付けられる蓋５に、冷却部材３を一体的に設けた構成を示している。図３（ａ）は、蓋５のみを上方からみた斜視図であり、図３（ｂ）は、図３（ａ）のＡ−Ａ線における光学装置の模式的な断面図である。この例の冷却部材３は、インサート成形によって樹脂製の蓋５に一体化されており、その下端部（冷却部）が蓋５の内側に突き出し、上端部（露出部）が蓋５の外側に突き出している。この蓋５を光学箱４に固定することで、冷却部材５の下端部（冷却部）がポリゴンミラー１の近傍に配置される。
【００３２】
ただし、冷却部材の取付方法は図３の例に限らない。例えば、光学箱に冷却部材を固定し、蓋に設けた孔から冷却部材の上端部を装置外部に露出させる構成でもよい。また、インサート成形によって光学箱に冷却部材を一体化し、冷却部材の下端部を光学箱の底面や側壁から装置外部に露出させてもよい。あるいは、光学箱と蓋とで冷却部材を挟むことによって冷却部材を固定するようにしてもよい。また、放熱部材を蓋に一体的に取り付け、蓋全体または放熱部材が取り付けられている部分を放熱材料と同じ材料または熱伝導率の高い材料にして、その部分が放熱部材の露出部を兼ねる構成であっても問題ない。
【００３３】
冷却部材３の放熱効率を高めるために、冷却部材の露出部を強制冷却することも好ましい。例えば、図７に示すように、光学装置外部にダクト６（流路）を形成し、このダクト６内に冷却部材３の露出部が露出するようにし、ファン等の冷却風をダクト６に通して冷却部材３を強制冷却するとよい。これにより、冷却部材３の冷却効果がさらに向上する。なお、冷却部材３の露出部の形状は、必ずしも冷却部の形状と同じである必要は無く、図７に示すような平板状でもよい。また、冷却部材３の放熱を助けるために、露出部に複数のリブ（フィン）を設けることも好ましい。
【００３４】
以上述べたように本実施形態によれば、走査開始側領域に冷却部材３を設けるといった簡易な構成で、レンズ２に吹き付けられる空気流を効果的に冷却できるので、回転多面鏡と光学部品とを仕切らなくとも、光学部品側の回転多面鏡からの熱の影響を小さくすることができる。したがって、スポット変動、倍率変化、照射位置変動等を抑制でき、高品位な画像形成が可能となる。
【００３５】
（第２実施形態）
図８は、本発明の第２実施形態に係る光学装置のポリゴンミラー近傍の部品配置と風の流れを示す図である。
【００３６】
本実施形態の光学装置は、光ビームＸ，Ｘ′を偏向走査するポリゴンミラー１（回転多面鏡）と、ポリゴンミラー１で偏向走査された光ビームＹ１〜Ｙ２を感光ドラム（第一像担持体）上に結像させる第１レンズ２（第一光学部品）と、ポリゴンミラー１で偏向走査された光ビームＹ１′〜Ｙ２′を他の感光ドラム（第二像担持体）上に結像させる第２レンズ２′（第二光学部品）と、ポリゴンミラー１、第１及び第２レンズ２，２′を格納する光学箱及び蓋と、ポリゴンミラー１の回転により第１レンズ２に吹き付けられる空気流を冷却する冷却部材３と、を備える。第２レンズ２′は、ポリゴンミラー１に対し第１レンズ２とポリゴンミラーに対して反対側の位置に配置されている。
【００３７】
この光学装置は、複数の感光ドラムを有する画像形成装置に適用される。複数のレーザ光源から出射された複数の光ビームＸ，Ｘ′（第一、第二光ビーム）は、単一のポリゴンミラー１によって偏向され、第１レンズ２もしくは第２レンズ２′を経て各々感光ドラムに導かれる。すなわち、図８中、ポリゴンミラーの左側の走査光学系では、ａ方向に回転するポリゴンミラー１が光ビームＸをＹ１からＹ２の範囲に偏向走査し、ポリゴンミラーの右側の走査光学系では、ポリゴンミラー１が光ビームＸ′をＹ１′からＹ２′の範囲に偏向走査する。
【００３８】
ポリゴンミラー１の周囲に複数の光学系が配された光学装置では、光学系間の環境温度（周辺温度）の違いが色ズレの発生原因となる。図８の例では、光学装置の左方に定着器などの熱源が存在しており、装置右側に比べて左側のほうが環境温度が高くなっている（以下、熱源から遠く環境温度の低い側を「低温側」、熱源に近く環境温度の高い側を「高温側」とよぶ。）。このような環境温度の勾配により、高温側に配置された第１レンズ２は、低温側に配置された第２レンズ２′に比べて温度が高くなりやすい。そうすると、左
右の光学系間でスポット変動、倍率変化、照射位置変動等のバラツキが生じ、色ズレが発生するのである。
【００３９】
そこで本実施形態では、空気流による熱の伝搬を抑制するとともに、上述したような光学系間の温度差を是正するために、第１レンズ２よりもポリゴンミラー１の回転方向上流側であって、且つ、第２レンズ２′よりもポリゴンミラー１の回転方向下流側に、冷却部材３を設けている。冷却部材３の構成は第１実施形態と同様である。
【００４０】
上記構成により、高温側の第１レンズ２に吹き付けられる空気流が冷却されるため、第１レンズ２の昇温を抑制できる。しかも、高温側の空気流のみを冷却しているため、第１レンズ２と第２レンズ２′の間の温度の偏りが緩和される。よって、左右の光学系の温度差を十分小さくでき、倍率や照射位置等のバラツキを抑制し、色ズレの発生を抑制することが可能となる。
【００４１】
（第３実施形態）
図９は、本発明の第３実施形態に係る光学装置のポリゴンミラー近傍の部品配置と風の流れを示す図である。
【００４２】
第２実施形態では、高温側の第１レンズ２（第一光学部品）に吹き付けられる空気流を冷却する冷却部材３（第一放熱部材）だけを設けたが、第３実施形態では、低温側の第２レンズ２′（第二光学部品）に吹き付けられる空気流を冷却する第２冷却部材３′（第二放熱部材）をさらに設ける。それ以外の構成は第２実施形態のものと同様である。
【００４３】
第２冷却部材３′は、図９に示すように、第２レンズ２′（第二光学部品）よりもポリゴンミラー１の回転方向上流側であって、且つ、第１レンズ２（第一光学部品）よりもポリゴンミラー１の回転方向下流側に配置されている。
【００４４】
第１冷却部材と第２冷却部材のポリゴンミラーからの間隔はほぼ等しく、第２冷却部材３′の表面積は冷却部材３よりも小さくなっており、その結果、第２冷却部材３′の放熱具合が冷却部材３よりも小さくなっている。つまり、第１冷却部材３、第２冷却部材３′の冷却部は、ポリゴンミラー１に対してそれぞれの光レーザの走査が開始する側に対応してポリゴンミラー１に沿って配置されており、第１冷却部材３と第２冷却部材３′の放熱具合（放熱量、冷却効果）は互いに異なっている。両冷却部材３，３′の放熱具合の差は、上述した環境温度の勾配に起因する光学系間の温度差をちょうど無くすように、すなわち、定着器等の熱源に近い光学部品の方に向かう空気の熱を放熱する冷却部材３の放熱量が他方の冷却部材３′の放熱量よりも小さくなるように、設定されていることが好ましい。
【００４５】
上記構成により、左右の光学系の温度をほぼ等しくでき、色ズレの発生をより一層抑制することが可能となる。
【００４６】
第２冷却部材３′の材質や形状についても、第１実施形態の冷却部材３と同様の構成を採用することで、同様の効果を得ることができる。
【００４７】
なお、本実施例では、放熱部材の表面積を異ならせることで放熱部材による放熱具合（放熱量）を異ならせる構成であったが、その他に、放熱部材の回転多面鏡からの距離（間隔）を異ならせることで、同じ構成の放熱部材であっても放熱具合を異ならせることができる。
【００４８】
以上、本発明により、回転多面鏡と光学部品とを仕切らなくとも、光学部品側の回転多
面鏡からの熱の影響を小さくすることができる。
【図面の簡単な説明】
【００４９】
【図１】第１実施形態に係る光学装置の要部を示す斜視図。
【図２】第１実施形態に係る光学装置のポリゴンミラー近傍の部品配置と風の流れを示す模式図。
【図３】第１実施形態に係る光学装置の蓋及び冷却部材の構成を示す図。
【図４】ポリゴンミラー、レンズ、冷却部材の位置関係を示す図。
【図５】冷却部材の変形例を示す図。
【図６】冷却部材の変形例を示す図。
【図７】冷却部材を強制冷却するための構成例を示す図。
【図８】第２実施形態に係る光学装置のポリゴンミラー近傍の部品配置と風の流れを示す模式図。
【図９】第３実施形態に係る光学装置のポリゴンミラー近傍の部品配置と風の流れを示す模式図。
【図１０】画像形成装置の構成を示す図。
【図１１】従来の光学装置の構成を示す図。
【図１２】従来の光学装置のポリゴンミラー近傍の部品配置と風の流れを示す模式図。
【符号の説明】
【００５０】
１  ポリゴンミラー（回転多面鏡）
２  レンズ（光学部品、第一光学部品）
２′  第２レンズ（第二光学部品）
３  冷却部材（放熱部材、第一放熱部材）
３′  第２冷却部材（第二放熱部材）
４  光学箱
５  蓋
６  ダクト
７  リブ（フィン）
【図１】
2006323065.tif 000003
【図２】
2006323065.tif 000004
【図３】
2006323065.tif 000005
【図４】
2006323065.tif 000006
【図５】
2006323065.tif 000007
【図６】
2006323065.tif 000008
【図７】
2006323065.tif 000009
【図８】
2006323065.tif 000010
【図９】
2006323065.tif 000011
【図１０】
2006323065.tif 000012
【図１１】
2006323065.tif 000013
【図１２】
2006323065.tif 000014